(57)【特許請求の範囲】
【請求項１】
用紙がセットされ、脱着自在に取付け可能な給紙カセットと、前記給紙カセットにセットされた用紙を供給するために、駆動源からの駆動により回転される搬送ローラとを備えた、給紙装置において、
前記駆動源により駆動される駆動側伝達ギヤと、
前記駆動側伝達ギヤに噛み合い、前記搬送ローラを回転させるための搬送ローラ側伝達ギヤと、
前記給紙カセットを前記給紙装置から取り外すときに、前記駆動源から前記搬送ローラへ伝達される駆動を遮断するための遮断手段とを備え、
前記遮断手段は、前記給紙カセットの取り外し動作に連動して、前記駆動側伝達ギヤと前記搬送ローラ側伝達ギヤとの噛み合いを解除するように作動するリリースレバーを備えていることを特徴とする、給紙装置。
【請求項２】
前記リリースレバーが係止される係止部と、
前記駆動側伝達ギヤを回転可能に支持する支持部とをもつ揺動片をさらに備え、
前記揺動片は、前記リリースレバーの一端を前記給紙カセットに係止し、他端を前記係止部に係止した状態で、前記駆動側伝達ギヤと前記搬送ローラ側伝達ギヤとの噛み合いを解除するように、揺動される、請求項１に記載の給紙装置。
【請求項３】
前記揺動片は、前記駆動源からの駆動が入力される入力軸のまわりに揺動可能に支持されるとともに、前記駆動側伝達ギヤは、この入力軸のまわりに設けられる入力ギヤに噛み合って、前記搬送ローラ側ギヤと噛み合う方向に移動できるようにされている、請求項２に記載の給紙装置。
【発明の詳細な説明】
【０００１】
【発明の属する技術分野】
本発明は、給紙装置、詳しくは、プリンタなどの記録装置に取付けられ、用紙を印字する印字部に、用紙を供給するための給紙装置に関する。
【０００２】
【従来の技術】
従来より、プリンタなどの記録装置には、印字に供する用紙を、用紙を印字する印字部に順次供給するための給紙装置が取付けられている。この種の給紙装置は、多数の用紙を積層状にセットでき、脱着自在に取付け可能な給紙カセットと、給紙カセットの下端側に配置される搬送ローラとを備えており、この搬送ローラを、記録装置に備えられる駆動源からの駆動により回転させることにより、給紙カセットにセットされた用紙を、順次印字部に送るようにしている。
【０００３】
また、搬送ローラで送られる用紙の紙づまりが生じた場合には、かかる用紙を取り除くために、まず、給紙カセットを給紙装置から取り外し、次いで、搬送ローラに伝達される駆動を、レバーなどの操作により遮断して、搬送ローラを回転自由とした上で、搬送ローラに噛んでいる用紙を取り除くようにするか、あるいは、搬送ローラの軸方向外方に取り付けられたノブを手でまわすことにより、駆動のかかる搬送ローラを強制的に回転させて、搬送ローラに噛んでいる用紙を取り除くようにしている。
【０００４】
【発明が解決しようとする課題】
しかし、紙づまりを生じる毎に、給紙カセットを給紙装置から取り外した後、レバー操作により搬送ローラを回転自由とした上で、つまった用紙を取り除くか、あるいは、駆動のかかる搬送ローラを強制的に手で回転させることにより、つまった用紙を取り除くかしなければならず、用紙を取り除き得る状態にするための操作が煩雑である。
【０００５】
本発明の目的は、上記した問題点を解決するためになされたものであり、用紙の紙づまりが生じた場合にも、つまった用紙を容易に取り除き得る状態にすることができる、給紙装置を提供することにある。
【０００６】
【課題を解決するための手段】
上記の目的を達成するため、請求項１に記載の発明は、用紙がセットされ、脱着自在に取付け可能な給紙カセットと、前記給紙カセットにセットされた用紙を供給するために、駆動源からの駆動により回転される搬送ローラとを備えた、給紙装置において、前記駆動源により駆動される駆動側伝達ギヤと、前記駆動側伝達ギヤに噛み合い、前記搬送ローラを回転させるための搬送ローラ側伝達ギヤと、前記給紙カセットを前記給紙装置から取り外すときに、前記駆動源から前記搬送ローラへ伝達される駆動を遮断するための遮断手段とを備え、前記遮断手段は、前記給紙カセットの取り外し動作に連動して、前記駆動側伝達ギヤと前記搬送ローラ側伝達ギヤとの噛み合いを解除するように作動するリリースレバーを備えていることを特徴としている。
【０００７】
このような構成によれば、搬送ローラで送られる用紙の紙づまりが生じた場合に、給紙カセットを給紙装置から取り外すときに、遮断手段が、駆動源から搬送ローラへ伝達される駆動を遮断するので、給紙カセットを給紙装置から取り外すのみで、自動的に、搬送ローラを駆動のかからない回転自由の状態にすることができる。したがって、搬送ローラに噛んでいるつまった用紙を容易に取り除き得る状態にすることができる。
【０００８】
また、リリースレバーが、給紙カセットの取り外し動作に連動して、駆動側伝達ギヤと搬送ローラ側伝達ギヤとの噛み合いを解除するように作動するので、簡易な構造でありながら、給紙カセットを給紙装置から取り外したときに、駆動源から搬送ローラへ伝達される駆動を、確実に遮断することができる。
【０００９】
また、請求項２に記載の発明は、請求項１に記載の発明において、前記リリースレバーが係止される係止部と、前記駆動側伝達ギヤを回転可能に支持する支持部とをもつ揺動片をさらに備え、前記揺動片は、前記リリースレバーの一端を前記給紙カセットに係止し、他端を前記係止部に係止した状態で、前記駆動側伝達ギヤと前記搬送ローラ側伝達ギヤとの噛み合いを解除するように、揺動されることを特徴としている。このような構成によると、給紙カセットの取り外し動作に連動してリリースレバーが作動すると、このリリースレバーに係止している揺動片が、この揺動片に支持される駆動側伝達ギヤとともに、駆動側伝達ギヤと搬送ローラ側伝達ギヤとの噛み合いが解除されるように揺動されるので、給紙カセットの取り外し動作に連動して、駆動源から搬送ローラへ伝達される駆動を、確実に遮断することができる。また、揺動片は、リリースレバーが係止される係止部と、駆動側伝達ギヤを支持する支持部とを有しているので、部品点数が低減された簡易な構成によって、上述の動作を実現できる。
【００１０】
また、請求項３に記載の発明は、請求項２に記載の発明において、前記揺動片は、前記駆動源からの駆動が入力される入力軸のまわりに揺動可能に支持されるとともに、前記駆動側伝達ギヤは、この入力軸のまわりに設けられる入力ギヤに噛み合って、前記搬送ローラ側ギヤと噛み合う方向に移動できるようにされていることを特徴としている。このような構成によると、つまった用紙を取り除いた後に、再び給紙装置を作動させる場合において、駆動源から再び入力軸に駆動が入力されると、入力軸のまわりに設けられる入力ギヤが回転し、この入力ギヤに噛み合っている駆動側伝達ギヤが、搬送ローラ側伝達ギヤとの噛み合う方向に移動されるので、駆動側伝達ギヤは、再び搬送ローラ側伝達ギヤと噛み合うことができる。したがって、駆動源からの駆動を再び搬送ローラに伝達させるための格別な操作を要することなく、駆動源を駆動させるのみで、自動的に駆動の伝達を復帰させて、駆動源からの駆動を搬送ローラに伝達することができる。よって、つまった用紙を取り除いた後に、再び給紙装置を作動させるときには、給紙カセットを取付けるのみの簡易な操作により、再び用紙を供給できる状態にすることができる。
【００１１】
【発明の実施の形態】
図１は、本発明の給紙装置を具体化した一実施形態の要部を示す側部断面図である。この図１を用いて本発明の給紙装置の一実施形態を説明する。図１に示す給紙装置１は、図示しない記録装置に取付けられ、印字ヘッドやプラテンローラなどを備える記録装置の印字部に、この印字部において印字される用紙を順次供給するもので、印字部において、用紙の印字が終了するごとに、新たな用紙を１枚ずつ供給するようにしている。
【００１２】
図１に示すように、この給紙装置１は、多数の用紙が積層状にセットされる給紙カセット２と、給紙カセット２にセットされた用紙を、順次印字部に供給するための搬送ローラ２０とを備えている。給紙カセット２は、給紙装置１のケーシング３の上方開口部４に、脱着自在に取付けできるようになっており、また、搬送ローラ２０は、給紙カセット２の下端側に配置され、記録装置に備えられる、図示しない駆動源からの駆動により、給紙方向に回転されるローラ軸５上に設けられている。
【００１３】
そして、駆動源からの、給紙のための駆動は、ローラ軸５の下方に配設される入力軸６に入力され、この入力軸６の回転により、入力軸６のまわりに設けられる入力ギヤ７を介して、この入力ギヤ７の後方に配置され、入力ギヤ７に噛み合っている駆動側伝達ギヤ８に伝達される。一方、ローラ軸５の軸端部には、ローラ軸５に駆動を伝達するための搬送ローラギヤ９が設けられており、この搬送ローラギヤ９は、搬送ローラギヤ９の後方に配置される中間ギヤ１０に噛み合っており、また、この中間ギヤ１０は、中間ギヤ１０の後方に配置される搬送ローラ側伝達ギヤ１１に噛み合っている。そして、駆動側伝達ギヤ８と搬送ローラ側伝達ギヤ１１とは、駆動側伝達ギヤ８が下側に位置し、搬送ローラ側伝達ギヤ１１が上側に位置して、これら両者が上下に対向するような配置として、この駆動側伝達ギヤ８と搬送ローラ側伝達ギヤ１１を噛み合わすことにより、駆動源からの駆動を搬送ローラ２０に伝達している。
【００１４】
このような構成において、本実施形態では、給紙カセット２を給紙装置１から取り外すときに、駆動源から搬送ローラ２０へ伝達される駆動を遮断するための遮断手段１２を備えている。この遮断手段１２は、給紙カセット２の取り外し動作に連動して作動するリリースレバー１３と、入力軸６のまわりに支持され、リリースレバー１３が係止される係止部１４と、駆動側伝達ギヤ８を回転可能に支持する支持部１５とを一体に形成している揺動片１６とを備えている。
【００１５】
給紙カセット２の側部下方には、係止溝１７と、この係止溝１７に連続して係止溝１７の溝と反対側に膨出される膨出部２５とが形成されている。リリースレバー１３は、略長方形状の平板であって、その一端側には、給紙カセット２の係止溝１７に係止させるための、略三角形状の突部２３が一体に形成されており、また、他端側には、揺動片１６の係止部１４に係止されるための係止段部１８が一体に形成されている。そして、このリリースレバー１３の突部２３を、給紙カセット２の係止溝１７に係止させるとともに、係止段部１８を揺動片１６の係止部１４に係止させることにより、リリースレバー１３を給紙カセット２と揺動片１６との間において、斜め上下方向に配置して、その長さ方向ほぼ中央において、軸２４により、揺動可能に支持されるようにしている。また、リリースレバー１３の係止段部１８が形成される下端の後側には、鉤部１９が形成されており、この鉤部１９に、一端が給紙装置１の固定位置で固定されているばね２１の他端を掛け止めて、矢印２２に示す方向、つまり、突起２３と係止溝１７とが噛み合う方向に、リリースレバー１３を常時付勢している。
【００１６】
また、揺動片１６は、入力軸６のまわりに揺動可能に支持されており、入力軸６のまわりの基部から、この入力軸６の径方向外方に延びる、腕状の係止部１４と腕状の支持部１５とを、互いに角度を異ならして突出させている。そして、支持部１５の先端部において、軸を介して駆動側伝達ギヤ８を回転自由に支持する一方、係止部１４の先端部をリリースレバー１３の係止段部１８に係止させるようにしている。
【００１７】
次に、この遮断手段１５の動作について、図１ないし図３を用いて説明する。図１は、給紙カセット２が給紙装置１に取付けられた状態を示し、図２は、給紙カセット２を給紙装置１から取り外す途中の状態を示す、図１に対応する図であり、図３は、給紙カセット２を給紙装置１から取り外した後の状態を示す、図１に対応する図である。
【００１８】
給紙カセット２が給紙装置１に取付けられた状態においては、図１に示すように、リリースレバー１３は、ばね２１の付勢力により、その上端において、突部２３が給紙カセット２の係合溝１７に係合されており、また、その下端においては、係合段部１８が揺動片１６の係止部１４に係止されている。また、揺動片１６の係止部１４が、係合段部１８に係止する位置にあるときは、揺動片１６に支持される駆動側伝達ギヤ８は、搬送ローラ側伝達ギヤ１１と噛み合う位置にあるため、駆動源からの駆動は、搬送ローラ２０に伝達される。
【００１９】
そして、用紙の紙づまりが生じて、つまった用紙を給紙装置１から取り除くときには、図２に示すように、給紙カセット２を前方（矢印３０で示す方向）に起こして、給紙カセット２を給紙装置１から取り外すようにする。このときに、リリースレバー１３の突部２３は、給紙カセット２の係止溝１７から外れて、膨出部２５に接触する。膨出部２５に接触した突部２３は、この膨出部２５により押動されて、リリースレバー１３は、軸２４を支点として、ばね２１の付勢力に抗して矢印２６に示す方向に揺動する。そうすると、リリースレバー１３の係止段部１８に係止されていた揺動片１６の係止部１４は、この揺動により、係止段部１８を乗り越えて、下端の縁部２７に当接するようになる。そして、この係止部１４の下方への移動により、揺動片１６は、入力軸６を支点として、矢印２８で示す方向に揺動され、この揺動片６の支持部１５に支持されている駆動側伝達ギヤ８は、下方に移動されて、搬送ローラ側伝達ギヤ１１との噛み合いが解除されるのである。
【００２０】
そして、給紙カセット２を給紙装置１から取り外してしまった後には、図３に示すように、リリースレバー１３の突部２３は、給紙カセット２の膨出部２５と接触しなくなるので、リリースレバー１３は、再びばね２１の付勢力により、矢印２９に示す方向に揺動する。一方、リリースレバー１３の係止段部１８は揺動片１６の係止部１４から離れる方向に揺動するため、揺動片１６は、リリースレバー１３とともに揺動することはなく、そのままの位置で保持される。よって、駆動側伝達ギヤ８と搬送ローラ側伝達ギヤ１１との噛み合いが解除された状態は維持される。
【００２１】
したがって、このような構成によれば、給紙カセット２を給紙装置１から取り外すときに、リリースレバー１３と揺動片１６とで構成される遮断手段１２が作動して、駆動源から搬送ローラ２０へ伝達される駆動を遮断するので、搬送ローラ２０で送られる用紙の紙づまりが生じた場合には、給紙カセット２を給紙装置１から取り外すのみで、自動的に、搬送ローラ２０を駆動のかからない回転自由の状態にすることができ、搬送ローラ２０に噛んでいるつまった用紙を容易に取り除き得る状態にすることができる。
【００２２】
また、この遮断手段１２においては、給紙カセット２の取り外し動作に連動して、リリースレバー１３と揺動片１６とが、駆動側伝達ギヤ８と搬送ローラ側伝達ギヤ１１との噛み合いを解除するように作動するので、簡易な構造でありながら、給紙カセット２を給紙装置１から取り外したときに、駆動源から搬送ローラ２０へ伝達される駆動を、確実に遮断することができる。とりわけ、揺動片１６は、リリースレバー１３が係止される係止部１４と、駆動側伝達ギヤ８を支持する支持部１５とを一体に形成しているため、部品点数が低減された簡易な構成によって、上述のような動作を実現している。
【００２３】
そして、つまった用紙を取り除いた後に、再び給紙装置１を作動させるときには、給紙カセット２を給紙装置１に取付けた後に、駆動源からの駆動を再び搬送ローラ２０に伝達するのであるが、このとき、駆動源から再び入力軸６に駆動を入力すると、入力軸６のまわりに設けられる入力ギヤ７が、図３に示す矢印３２に示す方向に回転するので、この入力ギヤ７に噛み合っている駆動側伝達ギヤ８は、自転しながら入力ギヤ７のまわりを図３に示す矢印３１で示す方向に公転し、揺動片１６を上方向に揺動させながら、搬送ローラ側伝達ギヤ１１と噛み合う方向に移動して、再び搬送ローラ側伝達ギヤ１１と噛み合うことができる。したがって、つまった用紙を取り除いた後に、再び給紙装置を作動させる場合には、駆動源からの駆動を再び搬送ローラ２０に伝達させるための格別な操作を要することなく、駆動源を駆動させるのみで、自動的に駆動の伝達を復帰でき、駆動源からの駆動を良好に搬送ローラ２０に伝達することができる。
【００２４】
なお、本実施形態の遮断手段１２は、給紙装置１の側部において、一側のみに設てもよく、あるいは両側に設けてもよい。また、駆動伝達経路において、複数の中間ギヤを介してもよい。
【００２５】
【発明の効果】
以上述べたように、請求項１の発明によれば、搬送ローラで送られる用紙の紙づまりが生じた場合には、給紙カセットを給紙装置から取り外すときに、遮断手段が、駆動源から搬送ローラへ伝達される駆動を遮断するので、給紙カセットを給紙装置から取り外すのみで、自動的に、搬送ローラを駆動のかからない回転自由の状態にすることができる。したがって、搬送ローラに噛んでいるつまった用紙を容易に取り除き得る状態にすることができる。
【００２６】
また、リリースレバーが、給紙カセットの取り外し動作に連動して、駆動側伝達ギヤと搬送ローラ側伝達ギヤとの噛み合いを解除するように作動するので、簡易な構造でありながら、給紙カセットを給紙装置から取り外したときに、駆動源から搬送ローラへ伝達される駆動を、確実に遮断することができる。
【００２７】
また、請求項２に記載の発明によれば、給紙カセットの取り外し動作に連動してリリースレバーが作動すると、このリリースレバーに係止している揺動片が、この揺動片に支持される駆動側伝達ギヤとともに、駆動側伝達ギヤと搬送ローラ側伝達ギヤとの噛み合いが解除されるように揺動されるので、給紙カセットの取り外し動作に連動して、駆動源から搬送ローラへ伝達される駆動を、確実に遮断することができる。また、揺動片は、リリースレバーが係止される係止部と、駆動側伝達ギヤを支持する支持部とを有しているので、部品点数が低減された簡易な構成によって、上述の動作を実現できる。
【００２８】
また、請求項３に記載の発明によれば、つまった用紙を取り除いた後に、再び給紙装置を作動させる場合において、駆動源から再び入力軸に駆動が入力されると、入力軸のまわりに設けられる入力ギヤが回転し、この入力ギヤに噛み合っている駆動側伝達ギヤが、搬送ローラ側伝達ギヤとの噛み合う方向に移動されるので、駆動側伝達ギヤは、再び搬送ローラ側伝達ギヤと噛み合うことができる。したがって、駆動源からの駆動を再び搬送ローラに伝達させるための格別な操作を要することなく、駆動源を駆動させるのみで、自動的に駆動の伝達を復帰させて、駆動源からの駆動を搬送ローラに伝達することができる。よって、つまった用紙を取り除いた後に、再び給紙装置を作動させるときには、給紙カセットを取付けるのみの簡易な操作により、再び用紙を供給できる状態にすることができる。
【図面の簡単な説明】
【図１】本発明の給紙装置を具体化した一実施形態の要部を示す側部断面図である。
【図２】給紙カセットを給紙装置から取り外す途中の状態を示す、図１に対応する側部断面図である。
【図３】給紙カセットを給紙装置から取り外した後の状態を示す、図１に対応する側部断面図である。
【符号の説明】
１    給紙装置
２    給紙カセット
６    入力軸
７    入力ギヤ
８    駆動側伝達ギヤ
１１  搬送ローラ側伝達ギヤ
１２  遮断手段
１３  リリースレバー
１４  係止部
１５  支持部
１６  揺動片
２０  搬送ローラ
【図１】
0003817834.tif 000002
【図２】
0003817834.tif 000003
【図３】
0003817834.tif 000004